(57)【要約】【課題】筐体の下部に配置された表示部の組み付け作業及び取り外し作業が容易なガス炊飯器を提供する。【解決手段】ガス炊飯器の下部筐体３は、上端部が開口した切欠き状の部位であって、前記表示ユニット６が嵌まる嵌合部３５を備える。表示ユニット６は、前面部６１及び側面部６２を備えたユニット本体部を備える。前面部６１は、表面側に情報を表示する。側面部６２は、前面部６１に対して左右両側に設けられる。ユニット本体部の側面部６２は、第１係合部３７と係合可能な第２係合部６２１を有する。下部筐体３の嵌合部３５は、第２係合部６２１と係合可能な第１係合部３７を有する。表示ユニット６は、嵌合部３５の開口３５Ａを介して上側から嵌合部３５に進入し、第１係合部３７と第２係合部６２１とが係合することによって、嵌合部３５に嵌まる。【選択図】図４
2020062240.tif 000002
【特許請求の範囲】
【請求項１】
バーナが内部に固定され、且つ、表示ユニットが設けられる下部筐体と、
前記下部筐体の上側に固定され、内部に内釜が収納される上部筐体と
を備えたガス炊飯器であって、
前記下部筐体は、
上端部が開口した切欠き状の部位であって、前記表示ユニットが嵌まる嵌合部を備え、
前記表示ユニットは、前面部及び側面部を備えたユニット本体部を備え、
前記前面部は、表面側に情報を表示し、
前記側面部は、前記前面部に対し、前記前面部に沿って水平に延びる第１水平方向の両側に設けられ、
前記下部筐体の前記嵌合部及び前記ユニット本体部の前記側面部の一方は、第１係合部を有し、
前記下部筐体の前記嵌合部及び前記ユニット本体部の前記側面部の他方は、前記第１係合部に係合可能な第２係合部を有し、
前記表示ユニットは、
前記開口を介して上側から前記嵌合部に進入し、前記第１係合部と前記第２係合部とが係合することによって、前記嵌合部に嵌まることを特徴とするガス炊飯器。
【請求項２】
前記第１係合部及び前記第２係合部の一方は、上下方向に沿って延びる溝部を有し
前記第１係合部及び前記第２係合部の他方は、前記溝部に対応して上下方向に沿って延びる突条を有し、
前記第１係合部と前記第２係合部とが係合した状態で、前記溝部に前記突条が嵌ることを特徴とする請求項１に記載のガス炊飯器。
【請求項３】
前記ユニット本体部は、
複数のセグメントに対応する複数の孔を有し、前記前面部の少なくとも一部に形成された導光部を備え、
前記表示ユニットは、更に、
前記前面部の表面側に貼付され、透過性を有するシートと、
前記前面部の裏面側に配置され、前記導光部の前記複数の孔に対向する位置に複数のＬＥＤが実装された基板と
を備えたことを特徴とする請求項１又は２に記載のガス炊飯器。
【請求項４】
前記ユニット本体部の前記前面部の表面側は、前記第１水平方向と直交する第２水平方向に対して上側に傾斜した方向を向いたことを特徴とする請求項１から３の何れかに記載のガス炊飯器。
【請求項５】
前記ユニット本体部は、
前記前面部の上端部から裏面側に延びる第１上面部を更に備えたことを特徴とする請求項１から４の何れかに記載のガス炊飯器。
【請求項６】
前記ユニット本体部は、
前記前面部の上端部から表面側に延びる第２上面部を更に備え、
前記第２上面部は、
前記第１水平方向に延びる第３係合部を有し、
前記上部筐体は、
前記第３係合部に係合して前記表示ユニットの位置ずれを規制する第４係合部を備えたことを特徴とする請求項１から５の何れかに記載のガス炊飯器。
【請求項７】
前記下部筐体の底面のうち、前記嵌合部の下側に貫通穴が形成されたことを特徴とする請求項１から６の何れかに記載のガス炊飯器。
【発明の詳細な説明】
【技術分野】
【０００１】
本発明はガス炊飯器に関する。
【背景技術】
【０００２】
表示部を備えたガス炊飯器が公知である。特許文献１は、表示部を備えたガス燃焼式の炊飯器を開示する。表示部は、炊飯器のケーシングの上面のうち、閉じた状態の蓋の前側に配置される。表示部には、炊飯器の状態や選択メニュー等が表示される。
【先行技術文献】
【特許文献】
【０００３】
【特許文献１】特開２０００−３５０６５７号公報
【発明の概要】
【発明が解決しようとする課題】
【０００４】
ガス炊飯器のデザインの多様化に伴い、表示部をガス炊飯器の下部に配置したいという要求がある。又、炊飯器の製造工程における表示部の組み付け作業や、メンテナンス時における表示部の取り外し作業を容易化したいという要求がある。
【０００５】
本発明の目的は、筐体の下部に配置された表示部の組み付け作業及び取り外し作業が容易なガス炊飯器を提供することである。
【課題を解決するための手段】
【０００６】
請求項１に係るガス炊飯器は、バーナが内部に固定され、且つ、表示ユニットが設けられる下部筐体と、前記下部筐体の上側に固定され、内部に内釜が収納される上部筐体とを備えたガス炊飯器であって、前記下部筐体は、上端部が開口した切欠き状の部位であって、前記表示ユニットが嵌まる嵌合部を備え、前記表示ユニットは、前面部及び側面部を備えたユニット本体部を備え、前記前面部は、表面側に情報を表示し、前記側面部は、前記前面部に対し、前記前面部に沿って水平に延びる第１水平方向の両側に設けられ、前記下部筐体の前記嵌合部及び前記ユニット本体部の前記側面部の一方は、第１係合部を有し、前記下部筐体の前記嵌合部及び前記ユニット本体部の前記側面部の他方は、前記第１係合部に係合可能な第２係合部を有し、前記表示ユニットは、前記開口を介して上側から前記嵌合部に進入し、前記第１係合部と前記第２係合部とが係合することによって、前記嵌合部に嵌まることを特徴とする。
【０００７】
請求項２に係るガス炊飯器は、請求項１に記載の発明の構成に加え、前記第１係合部及び前記第２係合部の一方は、上下方向に沿って延びる溝部を有し、前記第１係合部及び前記第２係合部の他方は、前記溝部に対応して上下方向に沿って延びる突条を有し、前記第１係合部と前記第２係合部とが係合した状態で、前記溝部に前記突条が嵌るとよい。
【０００８】
請求項３に係るガス炊飯器は、請求項１又は２に記載の発明の構成に加え、前記ユニット本体部は、複数のセグメントに対応する複数の孔を有し、前記前面部の少なくとも一部に形成された導光部を備え、前記表示ユニットは、更に、前記前面部の表面側に貼付され、透過性を有するシートと、前記前面部の裏面側に配置され、前記導光部の前記複数の孔に対向する位置に複数のＬＥＤが実装された基板とを備えるとよい。
【０００９】
請求項４に係るガス炊飯器は、請求項１から３の何れかに記載の発明の構成に加え、前記ユニット本体部の前記前面部の表面側は、前記第１水平方向と直交する第２水平方向に対して上側に傾斜した方向を向くとよい。
【００１０】
請求項５に係るガス炊飯器は、請求項１から４の何れかに記載の発明の構成に加え、前記ユニット本体部は、前記前面部の上端部から裏面側に延びる第１上面部を更に備えるとよい。
【００１１】
請求項６に係るガス炊飯器は、請求項１から５の何れかに記載の発明の構成に加え、前記ユニット本体部は、前記前面部の上端部から表面側に延びる第２上面部を更に備え、前記第２上面部は、前記第１水平方向に延びる第３係合部を有し、前記上部筐体は、前記第３係合部に係合して前記表示ユニットの位置ずれを規制する第４係合部を備えるとよい。
【００１２】
請求項７に係るガス炊飯器は、請求項１から６の何れかの発明の構成に加え、前記下部筐体の底面のうち、前記嵌合部の下側に貫通孔が形成されるとよい。
【発明の効果】
【００１３】
請求項１に係るガス炊飯器によれば、表示ユニットが嵌合部に嵌められた状態で下部筐体に保持される。ここで作業者は、下部筐体の開口を介して上側から嵌合部に表示ユニットを差し込み、第１係合部と第２係合部とを係合させることによって、下部筐体に表示ユニットを取り付けることができる。このため作業者は、ガス炊飯器の製造工程において表示ユニットを下部筐体に容易に組み付けることができる。又、作業者は、第１係合部と第２係合部との係合状態を解除することによって、下部筐体から表示ユニットを取り外すことができる。このため作業者は、ガス炊飯器のメンテナンス時において表示ユニットを下部筐体から容易に取り外すことができる。
【００１４】
請求項２に係るガス炊飯器は、請求項１に記載の発明の効果に加えて、溝部に突条を嵌めることによって、下部筐体に表示ユニットを取り付けることができる。又、作業者は、溝部から突条を引き抜くことによって、下部筐体から表示ユニットを取り外すことができる。更に、下部筐体に対して表示ユニットが水平方向に移動することを、溝部及び突条によって抑制できる。
【００１５】
請求項３に係るガス炊飯器によれば、請求項１又は２に記載の発明の効果に加え、セグメント方式のＬＥＤ素子が不要となるので、表示ユニットのコストを削減できる。
【００１６】
請求項４に係るガス炊飯器によれば、請求項１から３の何れかに記載の発明の効果に加え、上側に傾斜した方向に向けて前面部の表面側を配置することによって、ガス炊飯器の使用者による視認性を良好にできる。
【００１７】
請求項５に係るガス炊飯器によれば、請求項１から４の何れかに記載の発明の効果に加え、ユニット本体部に第１上面部を設けたことにより、裏面側に配置された基板におねばが付着する可能性を軽減できる。
【００１８】
請求項６に係るガス炊飯器によれば、請求項１から５の何れかに記載の発明の効果に加え、ガス炊飯器は、表示ユニットの第３係合部に上部筐体の第４係合部を係合させることにより、上部筐体及び下部筐体に対して表示ユニットの位置がずれることを防止できる。
【００１９】
請求項７に係るガス炊飯器によれば、請求項１から６の何れかの発明の効果に加え、貫通孔を介して通流される空気により、基板を効率的に冷却できる。
【００２０】
上述した請求項１から７の発明は、任意に組み合わせることができる。例えば請求項１の全部または一部を備えずに他の請求項２から７の少なくともいずれか１つの構成を備えたものとしても良い。但し特に、請求項１の構成を備えて、請求項２から７の少なくともいずれか１つの構成と組み合わせを備えると良い。また請求項１から７の任意の構成要素を抽出し、組み合わせても良い。本願出願人はこれらのような構成についても特許権を取得する意思を有する。
【図面の簡単な説明】
【００２１】
【図１】蓋体５０が閉塞位置にあるガス炊飯器１の斜視図である。
【図２】蓋体５０が開放位置にあるガス炊飯器１の斜視図である。
【図３】図１のＩ−Ｉ線を矢印方向から視た断面図である。
【図４】下部筐体３及び表示ユニット６の斜視図である。
【図５】表示ユニット６を前方から視た分解斜視図である。
【図６】表示ユニット６を後方から視た分解斜視図である。
【図７】図４のII−II線を矢印方向から視た断面図である。
【発明を実施するための形態】
【００２２】
以下、本発明の実施形態を説明する。以下に記載されている装置の構造、フローチャートなどは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２３】
＜ガス炊飯器１の概要＞
図１、図２に示すように、ガス炊飯器１は、筐体１０、蓋体５０、及び、非図示のヒンジを備える。蓋体５０は、ヒンジにより筐体１０に固定される。筐体１０は上部筐体２及び下部筐体３を有する。上部筐体２は、下部筐体３の上側に固定される。
【００２４】
上部筐体２は略円筒状を有し、上下方向に延びる。上部筐体２の上端部及び下端部は開口する。上部筐体２は、前突出部２１、後突出部２２、及び湾曲部２３を有する。湾曲部２３は、右方及び左方に凸状に湾曲する円弧に沿って延びる。左右の湾曲部２３のそれぞれに、ハンドル１１が回転可能に接続される。前突出部２１は、左右の湾曲部２３のそれぞれの前端部から前方に突出する。前突出部２１のうち右側の湾曲部２３の前端部から前方に延びる部分を、右壁２１Ｒという。前突出部２１のうち左側の湾曲部２３の前端部から前方に延びる部分を、左壁２１Ｌという。前突出部２１のうち右壁２１Ｒ及び左壁２１Ｌのそれぞれの前端部の間に亘って延びる部分を、前壁２１Ｆという。図３に示すように、前壁２１Ｆの下端部に、第４係合部２１Ｕが設けられる。第４係合部２１Ｕは、第１延設部２１１及び第２延設部２１２を有する。第１延設部２１１は、前壁２１Ｆの後面から後方に延びる。第２延設部２１２は、第１延設部２１１の後端部から下方に延びる。
【００２５】
図１、図２に示すように、後突出部２２は、左右の湾曲部２３のそれぞれの後端部から後方に突出する。前突出部２１、後突出部２２、及び湾曲部２３で囲まれた部分を、上部筐体２の内部という。図２に示すように、上部筐体２の内部に内釜２Ｋが収納される。 
【００２６】
蓋体５０は板状を有し、上部筐体２の上端部の開口を開閉可能である。非図示のヒンジは、上部筐体２の後突出部２２と蓋体５０との間に介在し、上部筐体２に対して蓋体５０を開閉可能に支持する。蓋体５０は、左右方向に延びる軸を中心として揺動し、図１に示す閉塞位置と、図２に示す開放位置とに移動可能である。図１に示すように、閉塞位置に配置された蓋体５０は、上部筐体２の上端部の開口を閉塞する。図２に示すように、開放位置に配置された蓋体５０は、上部筐体２の上端部の開口を閉塞せず、上部筐体２の上端部の開口は開放される。
【００２７】
図１、図２に示すように、下部筐体３は、上部筐体２の下端部に設けられる。下部筐体３は略円柱状を有し、上下方向に延びる。図４に示すように、下部筐体３の上端部は開口し、下端部は閉口する。下部筐体３は、前突出部３１、後突出部３２、湾曲部３３、及び底面３４を有する。湾曲部３３は、右方及び左方に凸状に湾曲する円弧に沿って延びる。右側の湾曲部３３の後端部に、ガスホースが接続されるガス接続口１２が設けられる。前突出部３１は、左右の湾曲部３３のそれぞれの前端部から前方に突出する。前突出部３１のうち右側の湾曲部３３の前端部から左斜め前方に延びる部分を、右壁３１Ｒという。前突出部３１のうち左側の湾曲部３３の前端部から右斜め前方に延びる部分を、左壁３１Ｌという。底面３４は、前突出部３１、後突出部３２、及び湾曲部３３のそれぞれの下端部に接続する。底面３４は、前突出部３１、後突出部３２、及び湾曲部３３によって囲まれる空間を、下側から覆う。底面３４の上面にバーナ３Ｂが保持される。バーナ３Ｂは、前突出部３１、後突出部３２、及び湾曲部３３によって囲まれる空間を、下部筐体３の内部という。バーナ３Ｂは、下部筐体３の内部に固定される。
【００２８】
底面３４のうち、左右の湾曲部３３の前端部よりも前側に突出した部分を、突出底面３４Ｕという。前突出部３１の右壁３１Ｒ及び左壁３１Ｌ、並びに、突出底面３４Ｕは、下部筐体３の前端部に、上端部が開口した切欠き状の部位を形成する。以下、この切欠き状の部位を、嵌合部３５という。嵌合部３５の上端部の開口を、開口３５Ａという。嵌合部３５には、後述する表示ユニット６が嵌る。
【００２９】
嵌合部３５のうち、右壁３１Ｒ及び左壁３１Ｌのそれぞれの内面近傍に、第１係合部３７が設けられる。第１係合部３７は、右壁３１Ｒ及び左壁３１Ｌのそれぞれの内側に空間を形成する。該空間の左右方向の幅は、前方に向かうに従って小さくなる（図７参照）。第１係合部３７は突条３６を有する。突条３６は、上下方向に長い略長方形の板状であり、左右方向と直交する。左壁３１Ｌの内面近傍に設けられた突条３６は、左壁３１Ｌに対して右側に離隔して配置される。図４では省略されているが、右壁３１Ｒの内面近傍に設けられた突条３６は、右壁３１Ｒに対して左側に離隔して配置される。それぞれの突条３６の前端部３６Ａは、上下方向に沿って延びる。底面３４のうち嵌合部３５の下側、即ち、突出底面３４Ｕには、複数の貫通孔３４０が形成される。それぞれの貫通孔３４０は、前後方向に長い長孔である。複数の貫通孔３４０は、左右方向に配列される。
【００３０】
＜表示ユニット６＞
図５、図６に示すように、表示ユニット６は、シート６Ａ、ユニット本体部６Ｂ、スペーサ６Ｃ、基板６Ｄ、及びカバー６Ｅを有する。シート６Ａ、ユニット本体部６Ｂ、スペーサ６Ｃ、基板６Ｄ、及びカバー６Ｅは、この順で前側から後側に向けて配列される。
【００３１】
ユニット本体部６Ｂは、前面部６１、側面部６２Ａ、６２Ｂ（総称して「側面部６２」という。）、第１上面部６３（図６参照）、及び第２上面部６４を有する。前面部６１は、左右方向に長い略長方形の板状を有する。前面部６１の下端部から上端部に向かう方向は、上方向に対して後側に傾斜する。図５に示すように、前面部６１の前側の面を、表面６１Ｓという。図６に示すように、前面部６１の後側の面を、裏面６１Ｂという。図３、図５に示すように、前面部６１の表面６１Ｓに垂直な方向を、垂直方向Ｄ１１という。垂直方向Ｄ１１は、前方向Ｄ１０に対して上側に傾斜した方向を向く。即ち、前面部６１の表面６１Ｓ側は、前方向に対して上側に傾斜した方向を向く。垂直方向Ｄ１１と前方向Ｄ１０との間のなす角度θ１は、好ましくは１０〜２０度、更に好ましくは１５±２度である。
【００３２】
図５に示すように、前面部６１の左右方向中央且つ上下方向中心よりも上側に、導光部６１Ｈが形成される。導光部６１Ｈは、７セグメント表示が可能な４つの表示部６１１を有する。４つの表示部６１１は、左右方向に配列される。各表示部６１１は、７セグメントに対応する７つの孔を有する。前面部６１のうち導光部６１Ｈの左側に、導光部６１Ｊが形成される。導光部６１Ｊは、上下方向に配列された５つの表示部６１２を有する。各表示部６１２は、１つの孔を有する。前面部６１は、表示部６１１、６１２のそれぞれの複数の孔を介して、後述する複数のＬＥＤ６６，６７の光を表面６１Ｓ側に通過させる。これによって、表面６１Ｓ側に情報が表示される。導光部６１Ｈの右側及び下側に、操作部６１Ｋが形成される。操作部６１Ｋは、円形又は矩形の複数の孔を有する。
【００３３】
図５、図６に示すように、側面部６２は、前面部６１に沿って水平方向に延びる方向、即ち、左右方向の両側に設けられる。側面部６２は板状を有し、左右方向と直交する。側面部６２Ａは前面部６１の右端部に設けられる。側面部６２Ｂは前面部６１の左端部に設けられる。側面部６２Ａ、６２Ｂは、前面部６１の表面６１Ｓから前方に突出する。側面部６２Ａ、６２Ｂのそれぞれの前端部は、上下方向に沿って延びる。図６に示すように、側面部６２Ａ、６２Ｂのそれぞれの後端部に、後方に突出する略板状の第２係合部６２１が設けられる。第２係合部６２１の左右方向の幅は、前方に向かうに従って小さくなる（図７参照）。第２係合部６２１の後端部には、上下方向に沿って延びる溝部６２Ｇが形成される。
【００３４】
図６に示すように、第１上面部６３は、前面部６１の上端部から裏面６１Ｂ側に延びる。第１上面部６３は、左右方向に長い長方形の板状である。第１上面部６３は、前面部６１に対して直交する。第１上面部６３の右端部に側面部６３Ａが接続する。第１上面部６３の左端部に側面部６３Ｂが接続する。側面部６３Ａ、６３Ｂはそれぞれ、上下方向に長い長方形の板状である。側面部６３Ａ、６３Ｂは、第１上面部６３から下方に向けて、裏面６１Ｂに沿って延びる。側面部６３Ａは、側面部６２Ａの第２係合部６２１の左側に隣接する。側面部６３Ｂは、側面部６２Ｂの第２係合部６２１の右側に隣接する。
【００３５】
図５に示すように、第２上面部６４は、前面部６１の上端部から表面６１Ｓ側に延びる。第２上面部６４は、左右方向に長い長方形の板状である。第２上面部６４は、前面部６１に対して直交する。第２上面部６４は、側面部６２Ａ、６２Ｂのそれぞれの上端部の間に架け渡される。図６に示すように、第２上面部６４は、上面に第３係合部６４Ａを有する。第３係合部６４Ａは、上面から上方に突出し、左右方向に延びる。
【００３６】
図５、図６に示すように、シート６Ａは、左右方向に長い長方形の板状である。シート６Ａの形状は、ユニット本体部６Ｂの前面部６１の形状と略同一である。シート６Ａは、ユニット本体部６Ｂの前面部６１の表面６１Ｓ側に貼付される。シート６Ａのうち、ユニット本体部６Ｂに貼付された状態で導光部６１Ｈに対向する位置に、透過部６０Ｈが形成される。透過部６０Ｈは、導光部６１Ｈの４つの表示部６１１がそれぞれ有する複数の孔に対応する位置に窓６１３を有する。窓６１３は透過性を有する。シート６Ａのうち、ユニット本体部６Ｂに貼付された状態で導光部６１Ｊに対向する位置に、透過部６０Ｊが形成される。透過部６０Ｊは透過性を有する。
【００３７】
基板６Ｄは、左右方向に長い長方形の板状である。基板６Ｄの形状は、ユニット本体部６Ｂの前面部６１の形状と略同一である。図６に示すように、基板６Ｄは、ユニット本体部６Ｂの前面部６１の裏面６１Ｂ側に配置された状態で、ユニット本体部６Ｂにねじ止めされる（図３参照）。基板６Ｄは、ユニット本体部６Ｂにねじ止めされた状態で、第１上面部６３及び側面部６３Ａ、６３Ｂによって上側及び左右両側を囲まれる。基板６Ｄの前面に、複数のＬＥＤ６６、６７及び、複数のスイッチ６８が実装される。ユニット本体部６Ｂに基板６Ｄがねじ止めされた状態で、複数のＬＥＤ６６は、前面部６１の導光部６１Ｈのうち４つの表示部６１１のそれぞれの７つの孔に対向する位置に配置される。複数のＬＥＤ６７は、前面部６１の導光部６１Ｊのうち５つの表示部６１１のそれぞれの孔に対向する位置に配置される。複数のスイッチ６８は、前面部６１の操作部６１Ｋの複数の孔に対向する位置に配置される。
【００３８】
スペーサ６Ｃは、ユニット本体部６Ｂの前面部６１と基板６Ｄとの間に介在する。スペーサ６Ｃは、ユニット本体部６Ｂに基板６Ｄがねじ止めされた場合において、前面部６１及び基板６Ｄによって前後方向から挟持される。スペーサ６Ｃは、前面部６１及び基板６Ｄの間に挟持された状態で基板６Ｄの複数のスイッチ６８の周囲を囲む複数の枠状部６５を有する。スペーサ６Ｃは、シート６Ａ及び前面部６１と基板６Ｄとが前後方向に離隔した状態を維持する。カバー６Ｅは、屈曲した板状を有する。カバー６Ｅは、第１覆部６９Ａ及び第２覆部６９Ｂを有する。第１覆部６９Ａの形状は、左右方向に長い略長方形である。第１覆部６９Ａは、ユニット本体部６Ｂにねじ止めされた基板６Ｄと平行に配置され、基板６Ｄを後側から覆う。第２覆部６９Ｂは、第１覆部６９Ａの上端部から前方に延びる。第２覆部６９Ｂは、ユニット本体部６Ｂの第１上面部６３の下側に配置され、ユニット本体部６Ｂに支持された基板６Ｄを上側から覆う。
【００３９】
＜表示ユニット６の組み付け、取り外し＞
図４を参照し、下部筐体３に対する表示ユニット６の組み付け工程について説明する。はじめに、図４（ａ）に示すように、上部筐体２（図１、図２参照）が取り外された状態の下部筐体３が用意される。下部筐体３の前端部の上方に表示ユニット６が配置される。表示ユニット６は、下部筐体３の嵌合部３５に向けて下方に移動される。表示ユニット６は、下部筐体３の嵌合部３５の開口３５Ａを介して、上側から嵌合部３５に差し込まれる（矢印Ｙ１１）。図７に示すように、下部筐体３の第１係合部３７に、表示ユニット６の第２係合部６２１が係合する。前述のように、第１係合部３７の空間の左右方向の幅は、前方に向かうに従って小さくなっている。又、第２係合部６２１の左右方向の幅は、前方に向かうに従って小さくなっている。このため、第１係合部３７に対する第２係合部６２１の前方への移動は規制される。第１係合部３７及び第２係合部６２１は、互いに係合した状態で密着する。
【００４０】
表示ユニット６の側面部６２Ａ、６２Ｂのそれぞれの第２係合部６２１に設けられた溝部６２Ｇ（図６参照）に、下部筐体３の右壁３１Ｒ及び左壁３１Ｌのそれぞれの内側近傍に設けられた突条３６が下側から進入する。これによって、溝部６２Ｇに突条３６が嵌る。図４（ｂ）に示すように、下部筐体３の底面３４の突出底面３４Ｕに表示ユニット６の下端部が接触することにより、表示ユニット６の下方への移動は規制される。これによって、下部筐体３の嵌合部３５に表示ユニット６が嵌められる。
【００４１】
ガス炊飯器１の使用時、表示ユニット６が嵌められた状態の下部筐体３に対して上部筐体２（図１、図２参照）が上側から重ねられる。このとき、下部筐体３の前突出部３１、後突出部３２、及び湾曲部３３のそれぞれの上端部に、上部筐体２の前突出部２１、後突出部２２、及び湾曲部２３（図１、図２参照）の下端部が接触する。図３に示すように、上部筐体２の第４係合部２１Ｕの第２延設部２１２の下端部は、表示ユニット６の第３係合部６４Ａに後側から接触し係合する。第４係合部２１Ｕに対する第３係合部６４Ａの移動が規制される。このように、表示ユニット６の位置ずれは、第４係合部２１Ｕが第３係合部６４Ａに係合することで規制される。
【００４２】
ガス炊飯器１から表示ユニット６を取り外す場合、初めに、下部筐体３から上部筐体２が取り外される。上部筐体２の第４係合部２１Ｕは、表示ユニット６の第３係合部６４Ａから外される。次に、表示ユニット６が上方に持ち上げられる。下部筐体３の突条３６は、表示ユニット６の溝部６２Ｇから引き抜かれる。これにより、表示ユニット６は、下部筐体３の嵌合部３５から外される。
【００４３】
＜本実施形態の作用、効果＞
ガス炊飯器１において、表示ユニット６は、嵌合部３５に嵌められた状態で下部筐体３に保持される。ここで作業者は、下部筐体３の開口３５Ａを介して上側から嵌合部３５に表示ユニット６を差し込み、第１係合部３７と第２係合部６２１とを係合させることによって、下部筐体３に表示ユニット６を取り付けることができる。このため作業者は、ガス炊飯器１の製造工程において表示ユニット６を下部筐体３に容易に組み付けることができる。又、作業者は、溝部６２Ｇから突条３６を引き抜くことによって、下部筐体３から表示ユニット６を取り外すことができる。このため作業者は、ガス炊飯器１のメンテナンス時において表示ユニット６を下部筐体３から容易に取り外すことができる。
【００４４】
第１係合部３７の空間及び第２係合部６２１は、それぞれ、左右方向の幅が前方に向かうに従って小さくなる。このため、第１係合部３７に対する第２係合部６２１の前方への移動を規制できるので、下部筐体３に対して表示ユニット６が前方に移動することを抑制できる。又、溝部６２Ｇに突条３６を嵌めることによって、下部筐体３に表示ユニット６を取り付けることができる。この場合、下部筐体３に対して表示ユニット６が左右方向に移動することを、突条３６及び溝部６２Ｇによって抑制できる。
【００４５】
ユニット本体部６Ｂは導光部６１Ｈを備える。導光部６１Ｈの４つの表示部６１１のそれぞれは、７セグメントに対応する７つの孔を有する。表示ユニット６のシート６Ａは、導光部６１Ｈの複数の孔に対向する位置に、透過性を有する窓６１３を備える。表示ユニット６の基板６Ｄは、導光部６１Ｈの複数の孔に対向する位置に実装された複数のＬＥＤ６６を有する。この場合、複数のＬＥＤ６６の発光による光は、導光部６１Ｈの孔及び窓６１３を通過して、表示ユニット６の前側に放射される。ガス炊飯器１の制御部は、複数のＬＥＤ６６の発光パターンを制御することにより、表示ユニット６の前面に数字等の情報を表示できる。従って、ガス炊飯器１は、情報を表示するためのセグメント方式のＬＥＤ素子が不要となるので、表示ユニット６のコストを削減できる。
【００４６】
ガス炊飯器１は、ユニット本体部６Ｂの前面部６１の表面６１Ｓを上側に傾斜した方向に向けることによって、使用者による表示ユニット６の視認性を良好にできる。
【００４７】
ユニット本体部６Ｂの第１上面部６３は、上部筐体２の上端部からふきこぼれたおねばが下方に垂れることを防止する。このためガス炊飯器１は、ユニット本体部６Ｂの裏面６１Ｂ側に配置された基板６Ｄにおねばが付着する可能性を軽減できる。更に、第１上面部６３の両端部に接続する側面部６３Ａ、６３Ｂは、基板６Ｄを左右両側から覆う。このため、側面部６３Ａ、６３Ｂは、基板６Ｄにおねばが付着する可能性を更に軽減できる。
【００４８】
ガス炊飯器１は、表示ユニット６の第３係合部６４Ａに上部筐体２の第４係合部２１Ｕを係合させることにより、上部筐体２及び下部筐体３に対して表示ユニット６の位置がずれることを防止できる。
【００４９】
下部筐体３の底面３４のうち、嵌合部３５の下側の突出底面３４Ｕに貫通孔３４０が形成される。このため、貫通孔３４０を介して通流される空気により、基板６Ｄを効率的に冷却できる。
【００５０】
＜変形例＞
本発明は上記実施形態に限定されず、種々の変更が可能である。下部筐体３の第１係合部３７は突条３６を有していなくてもよい。表示ユニット６の第２係合部６２１は、溝部６２Ｇを有していなくてもよい。下部筐体３は、第１係合部の代わりに第２係合部を有していてもよい。表示ユニット６は、第２係合部の代わりに第１係合部を有していてもよい。下部筐体３は、突条３６の代わりに、上下方向に延びる溝部を有していてもよい。表示ユニット６は、溝部６２Ｇの代わりに、上下方向に延びる突条を有していてもよい。表示ユニット６は、下部筐体３の溝部に表示ユニット６の突条が係合することによって、下部筐体３の嵌合部３５に嵌ってもよい。
【００５１】
導光部６１Ｈの各表示部６１１が有する孔の数は、７つに限定されず、１−６、８以上の何れかであってもよい。基板６Ｄに実装される複数のＬＥＤ６６の数は、各表示部６１１が有する孔の数に応じ、１−６、８以上の何れかに変更されてもよい。表示ユニット６は、７セグメント方式のＬＥＤモジュールを有していてもよい。ユニット本体部６Ｂの前面部６１の表面６１Ｓは、前方を向いていてもよく、傾斜していなくてもよい。ユニット本体部６Ｂは、前面部６１の表面６１Ｓの向く角度を調整できる調節機構を有していてもよい。第１上面部６３は、ユニット本体部６Ｂと別体に設けられてもよい。この場合、ユニット本体部６Ｂに第１上面部６３は設けられなくてもよい。第１上面部６３の代わりに、カバー６Ｅの第２覆部６９Ｂによって、おねばの付着の可能性を軽減してもよい。第３係合部６４Ａは、第２上面部６４の上面から上方に向けて棒状に延びていてもよい。第４係合部２１Ｕは、上部筐体２に設けられた孔であってもよい。ガス炊飯器１は、表示ユニット６の棒状の第３係合部６４Ａを、上部筐体２の孔状の第４係合部２１Ｕに嵌めることにより、上部筐体２及び下部筐体３に対して表示ユニット６の位置ずれを防止してもよい。ガス炊飯器１は、第３係合部６４Ａ及び第４係合部２１Ｕを有さなくてもよい。表示ユニット６の基板６Ｄを冷却する為の貫通孔３４０は、突出底面３４Ｕを除く部位、例えば、下部筐体３の右壁３１Ｒ又は左壁３１Ｌに設けられてもよい。
【００５２】
＜その他＞
左右方向は、本発明の「第１水平方向」の一例である。前方向は、本発明の「第２水平方向」の一例である。
【符号の説明】
【００５３】
１        ：ガス炊飯器
２        ：上部筐体
２Ｋ      ：内釜
３        ：下部筐体
３Ｂ      ：バーナ
６        ：表示ユニット
６Ａ      ：シート
６Ｂ      ：ユニット本体部
６Ｄ      ：基板
２１Ｕ    ：第４係合部
３４Ｕ    ：突出底面
３５      ：嵌合部
３５Ａ    ：開口
３６      ：突条
３７      ：第１係合部
６０Ｈ    ：透過部
６１      ：前面部
６１Ｂ    ：裏面
６１Ｈ    ：導光部
６１Ｓ    ：表面
６２、６２Ａ、６２Ｂ    ：側面部
６２Ｇ    ：溝部
６３      ：第１上面部
６４      ：第２上面部
６４Ａ    ：第３係合部
６６      ：ＬＥＤ
３４０    ：貫通孔
６１３    ：窓
６２１    ：第２係合部
【図１】
2020062240.tif 000003
【図２】
2020062240.tif 000004
【図３】
2020062240.tif 000005
【図４】
2020062240.tif 000006
【図５】
2020062240.tif 000007
【図６】
2020062240.tif 000008
【図７】
2020062240.tif 000009